(57)【特許請求の範囲】
【請求項１】
車両を撮影した画像データに基づいて該車両のメーカを判定するメーカ判定プログラム
であって、
前記画像データにおける前記車両のエンブレム部分を認識するエンブレム認識手順と、
前記エンブレム認識手順によって認識されたエンブレム部分の輪郭形状を抽出するエン
ブレム形状抽出手順と、
前記エンブレム形状抽出手順によって抽出された輪郭形状が当該輪郭形状を左右に折り畳んだ場合に、折り畳む線を対称軸として、左右の輪郭形状が一致するか否かを判定することにより該輪郭形状の特性を評価する形状特性評価手順と、
前記形状特性評価手順の評価結果に基づいて、前記輪郭形状が最も類似するエンブレム
をもつメーカを判定するメーカ判定手順と
をコンピュータに実行させることを特徴とするメーカ判定プログラム。
【請求項２】
車両を撮影した画像データに基づいて該車両のメーカを判定するメーカ判定装置であっ
て、
前記画像データにおける前記車両のエンブレム部分を認識するエンブレム認識手段と、
前記エンブレム認識手段によって認識されたエンブレム部分の輪郭形状を抽出するエン
ブレム形状抽出手段と、
前記エンブレム形状抽出手段によって抽出された輪郭形状が当該輪郭形状を左右に折り畳んだ場合に、折り畳む線を対称軸として、左右の輪郭形状が一致するか否かを判定することにより該輪郭形状の特性を評価する形状特性評価手段と、
前記形状特性評価手段の評価結果に基づいて、前記輪郭形状が最も類似するエンブレム
をもつメーカを判定するメーカ判定手段と
を備えたことを特徴とするメーカ判定装置。
【発明の詳細な説明】
【技術分野】
【０００１】
この発明は、車両を撮影した画像データに基づいて車両のメーカを判定するメーカ判定プログラムおよびメーカ判定装置に関し、特に、低解像度のカメラで撮影された画像データに基づいて画像中の車両のメーカを特定することができるメーカ判定プログラムおよびメーカ判定装置に関する。
【背景技術】
【０００２】
交通法規違反の取締り等を目的として、道路を走行する車両を撮影し、撮影によって得られた画像データに基づいて車両を特定する技術が知られている。このような画像データに基づいて車両の特定を行う技術においては、画像データに含まれるナンバープレートの像を検出し、検出されたナンバープレートの像に対して画像認識を行う手法が用いられることが多い。
【０００３】
例えば、特許文献１においては、同一の車両を撮影した複数の画像データから抽出されたナンバープレートの像を比較し、最も明瞭な像に対して認識処理を行って車両番号等を読み取る技術が開示されている。また、特許文献２においては、車幅との対比によってナンバープレートのサイズを判定し、判定したナンバープレートのサイズに基づいて車両の車種を特定する技術が開示されている。
【０００４】
【特許文献１】特開２００５−３２２１４６号公報
【特許文献２】特開２００５−３１００２７号公報
【発明の開示】
【発明が解決しようとする課題】
【０００５】
しかしながら、特許文献１において開示されている技術は、ナンバープレート上の文字情報を読み取ることを目的としているため、車両を高解像度のカメラで撮影することを必要とする。このため、道路を走行する全ての車両を特定することが必要な場合には、高解像度の画像データを高速に処理することができる高価な装置を導入しなければならない。
【０００６】
一方、特許文献２において開示されている技術は、車両を高解像度のカメラで撮影することを必要としないものの、大型車両か普通車両かといった大まかな車種しか知ることができない。このため、画像データ中の車両を十分に絞り込むには、他の技術と組み合わせて利用する必要がある。
【０００７】
例えば、車体色を認識して車種を特定する技術を上記の技術と組み合わせて利用すれば、高解像度の画像データを用いることなく、車両の絞込み範囲を狭めることができる。ただし、これらの２つの技術を組み合わせても車両を完全に特定できる訳ではなく、また、車体色の認識技術には夕日等による車体色の変化に対応できないという問題がある。
【０００８】
このように、低解像度のカメラで撮影された画像に基づいて車両を特定する場合、高価な装置を導入する必要はないものの、車両を十分に絞り込むためには、複数の技術を組み合わせて利用することが必要となる。例えば、車両のメーカだけでも判定することができれば、車両を絞り込むために非常に有効である。
【０００９】
この発明は、上述した従来技術による問題点を解消するためになされたものであり、低解像度のカメラで撮影された画像データに基づいて画像中の車両のメーカを特定することができるメーカ判定プログラムおよびメーカ判定装置を提供することを目的とする。
【課題を解決するための手段】
【００１０】
上述した課題を解決し、目的を達成するため、本発明は、一つの態様において、車両を撮影した画像データに基づいて該車両のメーカを判定するメーカ判定プログラムであって、前記画像データにおける前記車両のエンブレム部分を認識するエンブレム認識手順と、前記エンブレム認識手順によって認識されたエンブレム部分の輪郭形状を抽出するエンブレム形状抽出手順と、前記エンブレム形状抽出手順によって抽出された輪郭形状が所定の特性を有するかを評価する形状特性評価手順と、前記形状特性評価手順の評価結果に基づいて、前記輪郭形状が最も類似するエンブレムをもつメーカを判定するメーカ判定手順とをコンピュータに実行させることを特徴とする。
【００１１】
また、本発明は、他の態様において、車両を撮影した画像データに基づいて該車両のメーカを判定するメーカ判定装置であって、前記画像データにおける前記車両のエンブレム部分を認識するエンブレム認識手段と、前記エンブレム認識手段によって認識されたエンブレム部分の輪郭形状を抽出するエンブレム形状抽出手段と、前記エンブレム形状抽出手段によって抽出された輪郭形状が所定の特性を有するかを評価する形状特性評価手段と、前記形状特性評価手段の評価結果に基づいて、前記輪郭形状が最も類似するエンブレムをもつメーカを判定するメーカ判定手段とを備えたことを特徴とする。
【００１２】
これらの発明によれば、単純な形状を有することが多いエンブレム部分の輪郭形状を画像データから抽出し、その輪郭の形状に基づいてメーカを特定するように構成したので、低解像度のカメラで撮影された画像データに基づいて画像中の車両のメーカを特定することができる。
【００１３】
また、本発明は、上記の発明の態様において、前記形状特性評価手順は、前記輪郭形状を左右に反転させた形状が元の輪郭形状と一致するか否かを判定することにより該輪郭形状の特性を評価することを特徴とする。
【００１４】
また、本発明は、上記の発明の態様において、前記形状特性評価手順は、前記輪郭形状を上下に反転させた形状が元の輪郭形状と一致するか否かを判定することにより該輪郭形状の特性を評価することを特徴とする。
【００１５】
また、本発明は、上記の発明の態様において、前記形状特性評価手順は、前記輪郭形状を左右に折り畳んだ場合に、形状が折り重なるか否かを判定することにより該輪郭形状の特性を評価することを特徴とする。
【００１６】
これらの発明によれば、予め用意されたサンプルと輪郭形状をマッチングするのではなく、輪郭形状単体で形状特性の評価を行うように構成したので、低解像度のカメラで撮影された画像がサンプルとのマッチングが可能な程度に明瞭でない場合であっても、高い精度でメーカを判定することができる。
【発明の効果】
【００１７】
本発明によれば、単純な形状を有することが多いエンブレム部分の輪郭形状を画像データから抽出し、その輪郭の形状に基づいてメーカを特定するように構成したので、低解像度のカメラで撮影された画像データに基づいて画像中の車両のメーカを特定することができるという効果を奏する。
【００１８】
また、本発明によれば、予め用意されたサンプルと輪郭形状をマッチングするのではなく、輪郭形状単体で形状特性の評価を行うように構成したので、低解像度のカメラで撮影された画像がサンプルとのマッチングが可能な程度に明瞭でない場合であっても、高い精度でメーカを判定することができるという効果を奏する。
【発明を実施するための最良の形態】
【００１９】
以下に添付図面を参照して、本発明に係るメーカ判定プログラムおよびメーカ判定装置の好適な実施の形態を詳細に説明する。
【実施例】
【００２０】
まず、本実施例に係るメーカ判定装置１００の構成について説明する。本実施例に係るメーカ判定装置１００は、画像データに含まれる車両のエンブレムに基づいてその車両のメーカを特定する装置である。
【００２１】
エンブレムは、通常、ナンバープレートよりも高い位置に付されているので、交通法規違反の取締り等を目的として公道上に設置されたカメラから撮影しやすい。また、形状が単純化されているため、低解像度のカメラを用いて撮影された画像データにおいても認識が容易である。
【００２２】
図１は、本実施例に係るメーカ判定装置１００の構成を示す機能ブロック図である。同図に示すように、メーカ判定装置１００は、制御部１１０と、記憶部１２０とを有する。制御部１１０は、メーカ判定装置１００を全体制御する制御部であり、エンブレム認識部１１１と、エンブレム形状抽出部１１２と、形状特性評価部１１３と、メーカ判定部１１４とを有する。
【００２３】
記憶部１２０は、各種情報を記憶する記憶部であり、画像データ１２１と、形状特性評価結果情報１２２と、形状特性マスタ１２３とを記憶する。画像データ１２１は、判定対象の車両が撮影された画像データである。
【００２４】
エンブレム認識部１１１は、画像データ１２１に含まれる車両のエンブレム部分を認識する処理部である。エンブレム形状抽出部１１２は、エンブレム認識部１１１によって認識されたエンブレム部分の画像が正面からの画像になるように補正し、補正後の画像からエンブレムの輪郭形状をベクタデータ（実世界を個別の図形で表現）もしくはラスタデータ（実世界をセルで表現）として抽出する処理部である。
【００２５】
なお、エンブレム認識部１１１によるエンブレム部分の認識処理と、エンブレム形状抽出部１１２による画像補正処理は、従来のナンバープレートの読み取り技術を応用することにより実現することができる。また、エンブレム形状抽出部１１２による輪郭形状の抽出処理は、例えば、ラスタデータの各画素の階調を白黒に二値化することによって実現することができる。
【００２６】
形状特性評価部１１３は、エンブレム形状抽出部１１２によって抽出されたエンブレムの輪郭形状がどのような特性をもっているかを評価する処理部である。輪郭形状の特性の評価は、予め設定されたルールに適合するかを判定することにより行われる。輪郭形状の特性を評価するための形状特性評価ルールの一例を図２に示す。
【００２７】
図２の例では、ルール１〜４の４つのルールが設定されている。ルール１は、輪郭形状の外周が円形の場合に適合する。ルール２は、輪郭形状を左右に反転させたときに、輪郭形状が元の輪郭形状と一致する場合に適合する。ルール３は、輪郭形状を上下に反転させたときに、輪郭形状が元の輪郭形状と一致する場合に適合する。ルール４は、輪郭形状を１８０度回転させたときに、輪郭形状が元の輪郭形状と一致する場合に適合する。なお、輪郭形状の一致の判定においては、所定の範囲の差異は許容される。
【００２８】
このように、予め用意されたサンプルと輪郭形状をマッチングするのではなく、輪郭形状単体で形状特性の評価を行っているのは、画像データ１２１の解像度が低く、サンプルとのマッチングが可能な程度に明瞭な輪郭形状が得られない場合であっても、高い精度でメーカの判定を行うことができるようにするためである。
【００２９】
形状特性評価部１１３は、各ルールの適合結果を形状特性評価結果情報１２２に記憶させる。図３は、形状特性評価結果情報１２２の一例を示す図である。同図に示すように、形状特性評価結果情報１２２には、各ルールに対する適合結果が「０」もしくは「１」として記憶される。「０」は、そのルールに適合しなかったことを示し、「１」は、そのルールに適合したことを示す。
【００３０】
図３に示した例では、ルール１の適合結果が「０」となっており、ルール２〜４の適合結果が「１」となっている。これは、エンブレム形状抽出部１１２によって抽出されたエンブレムの輪郭形状が、ルール１には適合せず、ルール２〜４には適合したことを示している。
【００３１】
なお、形状特性評価部１１３が輪郭形状の特性を評価するためのルールは、認識対象のメーカのエンブレムの相違点を明確に判別できるようにするために、あるいは、ルールの適合の判定を容易に行うことができるようにするために内容の変更や数の増減を適宜行ってよい。
【００３２】
内容を変更した形状特性評価ルールの一例を図４に示す。同図の例では、ルール２は、輪郭形状を左右に折り畳んだときに、形状が折り重なる場合に適合する。ルール３は、輪郭形状を上下に折り畳んだときに、形状が折り重なる場合に適合する。ルール４は、対角線で輪郭形状を折り畳んだときに、形状が折り重なる場合に適合する。
【００３３】
メーカ判定部１１４は、形状特性評価部１１３によって形状特性評価結果情報１２２に記憶された各ルールの適合パターンを形状特性マスタ１２３の各データと照合し、最も適合パターンがマッチするデータに対応するメーカを判定結果として出力する処理部である。
【００３４】
形状特性マスタ１２３は、形状特性評価部１１３が使用する各ルールを用いて各メーカのエンブレムの形状の特性を評価した結果が予め登録されたマスタデータである。例えば、判定対象のメーカがＡ社〜Ｆ社であり、それぞれのメーカのエンブレムの輪郭形状が図５に示す形状１１〜１６である場合の形状特性マスタ１２３の一例を図６に示す。
【００３５】
Ａ社のエンブレムの輪郭形状である形状１１は、外周が円形ではないため、ルール１の適合結果は「０」である。また、左右に反転させたときは元の形状と一致するが、上下に反転させたときと、１８０度回転させたときは元の形状と一致しなくなるため、ルール２の適合結果は「１」であり、ルール３とルール４の適合結果は「０」である。
【００３６】
Ｂ社のエンブレムの輪郭形状である形状１２は、外周が円形であるため、ルール１の適合結果は「１」である。また、左右に反転させたとき、上下に反転させたとき、１８０度回線させたときのいずれにおいても元の形状と一致するため、ルール２、ルール３およびルール４の適合結果は「１」である。
【００３７】
Ｃ社のエンブレムの輪郭形状である形状１３は、外周が円形であるため、ルール１の適合結果は「１」である。また、左右に反転させたとき、上下に反転させたとき、１８０度回線させたときのいずれにおいても元の形状と一致しないため、ルール２、ルール３およびルール４の適合結果は「０」である。
【００３８】
Ｄ社のエンブレムの輪郭形状である形状１４は、外周が円形ではないため、ルール１の適合結果は「０」である。また、左右に反転させたとき、上下に反転させたとき、１８０度回線させたときのいずれにおいても元の形状と一致するため、ルール２、ルール３およびルール４の適合結果は「１」である。
【００３９】
Ｅ社のエンブレムの輪郭形状である形状１５は、外周が円形であるため、ルール１の適合結果は「１」である。また、左右に反転させたときは元の形状と一致するが、上下に反転させたときと、１８０度回転させたときは元の形状と一致しなくなるため、ルール２の適合結果は「１」であり、ルール３とルール４の適合結果は「０」である。
【００４０】
Ｆ社のエンブレムの輪郭形状である形状１６は、外周が円形ではないため、ルール１の適合結果は「０」である。また、左右に反転させたとき、上下に反転させたとき、１８０度回線させたときのいずれにおいても元の形状と一致しないため、ルール２、ルール３およびルール４の適合結果は「０」である。
【００４１】
形状特性評価部１１３によって形状特性評価結果情報１２２に記憶された各ルールの適合パターンが図３の通りであった場合、この適合パターンは、形状特性マスタ１２３におけるＤ社の適合パターンと一致していることになる。したがって、この場合、メーカ判定部１１４は、画像データ１２１に含まれる車両のメーカはＤ社であると判定する。
【００４２】
メーカ判定部１１４は、形状特性評価結果情報１２２に記憶された各ルールの適合パターンが形状特性マスタ１２３の各データと一致しない場合は、適合結果が一致するルールーが最も多いデータに対応するメーカを判定結果として出力する。このとき、適合結果が一致するルール数が最多のデータが複数存在した場合は、それらのデータに対応する複数のメーカを判定結果として出力する。
【００４３】
次に、本実施例に係るメーカ判定装置１００の処理手順について説明する。図７は、メーカ判定装置１００の処理手順を示すフローチャートである。同図に示すように、メーカ判定装置１００は、メーカの判定を要求されると、エンブレム認識部１１１が、判定対象の画像データ１２１に含まれる車両のエンブレム部分を認識する（ステップＳ１０１）。
【００４４】
そして、エンブレム形状抽出部１１２が、エンブレム部分の画像が正面からの画像になるように補正し（ステップＳ１０２）、補正後の画像からエンブレムの輪郭形状を抽出する（ステップＳ１０３）。
【００４５】
そして、この輪郭形状が所定のルールに適合するか否かを判定することによって、形状特性評価部１１３が、この輪郭形状の特性を評価し（ステップＳ１０４）、メーカ判定部１１４が、この評価結果と形状特性マスタ１２３の各データと照合して最もマッチするデータに対応するメーカを判定結果として出力する。
【００４６】
上記実施例で説明してきたメーカ判定装置１００の機能は、あらかじめ用意されたメーカ判定プログラムをコンピュータで実行することによって実現することもできる。そこで、以下では、メーカ判定プログラムを実行するコンピュータの一例を説明する。
【００４７】
図８は、メーカ判定プログラム１０７１を実行するコンピュータ１０００を示す機能ブロック図である。このコンピュータ１０００は、各種演算処理を実行するＣＰＵ（Central Processing Unit）１０１０と、ユーザからのデータの入力を受け付ける入力装置１０２０と、各種情報を表示するモニタ１０３０と、各種プログラム等を記録した記録媒体からプログラム等を読み取る媒体読取り装置１０４０と、ネットワークを介して他のコンピュータとの間でデータの授受をおこなうネットワークインターフェース装置１０５０と、各種情報を一時記憶するＲＡＭ（Random Access Memory）１０６０と、ハードディスク装置１０７０とバス１０８０で接続して構成される。
【００４８】
そして、ハードディスク装置１０７０には、図１に示した制御部１１０と同様の機能を有するメーカ判定プログラム１０７１が記憶される。また、ハードディスク装置１０７０には、図１に示した画像データ１２１と形状特性マスタ１２３に対応する画像データ１０７２と形状特性マスタ１０７３も記憶される。なお、画像データ１０７２と形状特性マスタ１０７３は、ネットワークを介して接続された他のコンピュータに記憶させておくこともできる。
【００４９】
そして、ＣＰＵ１０１０がメーカ判定プログラム１０７１をハードディスク装置１０７０から読み出してＲＡＭ１０６０に展開することにより、メーカ判定プログラム１０７１は、メーカ判定プロセス１０６１として機能するようになる。そして、メーカ判定プロセス１０６１は、画像データ１０７２と形状特性マスタ１０７３をハードディスク装置１０７０から適宜読み出して、ＲＡＭ１０６０上の自身に割り当てられた領域に展開し、この展開したデータ等に基づいて各種データ処理を実行する。
【００５０】
なお、上記のメーカ判定プログラム１０７１は、必ずしもハードディスク装置１０７０に格納されている必要はなく、ＣＤ−ＲＯＭ等の記憶媒体に記憶されたこのプログラムを、コンピュータ１０００が読み出して実行するようにしてもよい。また、公衆回線、インターネット、ＬＡＮ（Local Area Network）、ＷＡＮ（Wide Area Network）等を介してコンピュータ１０００に接続される他のコンピュータ（またはサーバ）等にこのプログラムを記憶させておき、コンピュータ１０００がこれらからプログラムを読み出して実行するようにしてもよい。
【００５１】
上述してきたように、本実施例では、単純な形状を有することが多いエンブレム部分の輪郭形状を画像データから抽出し、その輪郭の形状に基づいてメーカを特定するように構成したので、低解像度のカメラで撮影された画像データに基づいて画像中の車両のメーカを特定することができる。
【００５２】
また、予め用意されたサンプルと輪郭形状をマッチングするのではなく、輪郭形状単体で形状特性の評価を行うように構成したので、低解像度のカメラで撮影された画像がサンプルとのマッチングが可能な程度に明瞭でない場合であっても、高い精度でメーカを判定することができる。
【００５３】
なお、本発明に係るメーカ判定プログラムおよびメーカ判定装置を他のプログラムや装置と組み合わせた構成としてもよい。例えば、本発明に係るメーカ判定装置を車両撮影用のカメラと組み合わせた構成とすることができる。また、本発明に係るメーカ判定プログラムおよびメーカ判定装置を他のプログラムおよび装置の一部として構成してもよい。
【００５４】
（付記１）車両を撮影した画像データに基づいて該車両のメーカを判定するメーカ判定プログラムであって、
前記画像データにおける前記車両のエンブレム部分を認識するエンブレム認識手順と、
前記エンブレム認識手順によって認識されたエンブレム部分の輪郭形状を抽出するエンブレム形状抽出手順と、
前記エンブレム形状抽出手順によって抽出された輪郭形状が所定の特性を有するかを評価する形状特性評価手順と、
前記形状特性評価手順の評価結果に基づいて、前記輪郭形状が最も類似するエンブレムをもつメーカを判定するメーカ判定手順と
をコンピュータに実行させることを特徴とするメーカ判定プログラム。
【００５５】
（付記２）前記形状特性評価手順は、前記輪郭形状を左右に反転させた形状が元の輪郭形状と一致するか否かを判定することにより該輪郭形状の特性を評価することを特徴とする付記１に記載のメーカ判定プログラム。
【００５６】
（付記３）前記形状特性評価手順は、前記輪郭形状を上下に反転させた形状が元の輪郭形状と一致するか否かを判定することにより該輪郭形状の特性を評価することを特徴とする付記１に記載のメーカ判定プログラム。
【００５７】
（付記４）前記形状特性評価手順は、前記輪郭形状を１８０度回転させた形状が元の輪郭形状と一致するか否かを判定することにより該輪郭形状の特性を評価することを特徴とする付記１に記載のメーカ判定プログラム。
【００５８】
（付記５）前記形状特性評価手順は、前記輪郭形状の外周が円形であるか否かを判定することにより該輪郭形状の特性を評価することを特徴とする付記１に記載のメーカ判定プログラム。
【００５９】
（付記６）前記形状特性評価手順は、前記輪郭形状を左右に折り畳んだ場合に、形状が折り重なるか否かを判定することにより該輪郭形状の特性を評価することを特徴とする付記１に記載のメーカ判定プログラム。
【００６０】
（付記７）前記形状特性評価手順は、前記輪郭形状を上下に折り畳んだ場合に、形状が折り重なるか否かを判定することにより該輪郭形状の特性を評価することを特徴とする付記１に記載のメーカ判定プログラム。
【００６１】
（付記８）前記形状特性評価手順は、前記輪郭形状を対角線を境にして折り畳んだ場合に、形状が折り重なるか否かを判定することにより該輪郭形状の特性を評価することを特徴とする付記１に記載のメーカ判定プログラム。
【００６２】
（付記９）車両を撮影した画像データに基づいて該車両のメーカを判定するメーカ判定装置であって、
前記画像データにおける前記車両のエンブレム部分を認識するエンブレム認識手段と、
前記エンブレム認識手段によって認識されたエンブレム部分の輪郭形状を抽出するエンブレム形状抽出手段と、
前記エンブレム形状抽出手段によって抽出された輪郭形状が所定の特性を有するかを評価する形状特性評価手段と、
前記形状特性評価手段の評価結果に基づいて、前記輪郭形状が最も類似するエンブレムをもつメーカを判定するメーカ判定手段と
を備えたことを特徴とするメーカ判定装置。
【００６３】
（付記１０）車両を撮影した画像データに基づいて該車両のメーカを判定するメーカ判定方法であって、
前記画像データにおける前記車両のエンブレム部分を認識するエンブレム認識工程と、
前記エンブレム認識工程によって認識されたエンブレム部分の輪郭形状を抽出するエンブレム形状抽出工程と、
前記エンブレム形状抽出工程によって抽出された輪郭形状が所定の特性を有するかを評価する形状特性評価工程と、
前記形状特性評価工程の評価結果に基づいて、前記輪郭形状が最も類似するエンブレムをもつメーカを判定するメーカ判定工程と
を含んだことを特徴とするメーカ判定方法。
【産業上の利用可能性】
【００６４】
以上のように、本発明に係るメーカ判定プログラムおよびメーカ判定装置は、車両を撮影した画像データに基づいて車両のメーカを判定する場合に有用であり、特に、低解像度のカメラで撮影された画像データに基づいて画像中の車両のメーカを特定することが必要な場合に適している。
【図面の簡単な説明】
【００６５】
【図１】本実施例に係るメーカ判定装置の構成を示す機能ブロック図である。
【図２】形状特性評価ルールの一例を示す図である。
【図３】形状特性評価結果情報の一例を示す図である。
【図４】形状特性評価ルールの他の一例を示す図である。
【図５】エンブレムの形状の一例を示す図である。
【図６】形状特性マスタの一例を示す図である。
【図７】メーカ判定装置の処理手順を示すフローチャートである。
【図８】メーカ判定プログラムを実行するコンピュータを示す機能ブロック図である。
【符号の説明】
【００６６】
１１〜１６  形状
１００  メーカ判定装置
１１０  制御部
１１１  エンブレム認識部
１１２  エンブレム形状抽出部
１１３  形状特性評価部
１１４  メーカ判定部
１２０  記憶部
１２１  画像データ
１２２  形状特性評価結果情報
１２３  形状特性マスタ
１０００  コンピュータ
１０１０  ＣＰＵ
１０２０  入力装置
１０３０  モニタ
１０４０  媒体読取り装置
１０５０  ネットワークインターフェース装置
１０６０  ＲＡＭ
１０６１  メーカ判定プロセス
１０７０  ハードディスク装置
１０７１  メーカ判定プログラム
１０７２  画像データ
１０７３  形状特性マスタ
１０８０  バス
【図１】
0005129457.tif 000002
【図２】
0005129457.tif 000003
【図３】
0005129457.tif 000004
【図４】
0005129457.tif 000005
【図５】
0005129457.tif 000006
【図６】
0005129457.tif 000007
【図７】
0005129457.tif 000008
【図８】
0005129457.tif 000009